(57)【要約】      （修正有）【課題】財布に大量のカードを入れた際にも、快適な使用が可能な財布を提供する。【解決手段】折りたたみ可能なカバー部１と、小物を収容可能な収容部と、カバー部１と収容部との間に形成される間隙部と、を備え、カバー部１は、カバー部１が折りたたまれる際に折られる山折り部とＥ１、収容部と接続される接続部Ｅ２と、カバー部１を開閉可能にする開閉部Ｅ３と、を有し、接続部Ｅ２は、山折り部Ｅ１の一端側に配置され、開閉部Ｅ３は、山折り部Ｅ１の他端から接続部Ｅ２にかけて設けられる。【選択図】図１
0003230311.tif 000002
【実用新案登録請求の範囲】
【請求項１】
折りたたみ可能なカバー部と、小物を収容可能な収容部と、前記カバー部と前記収容部との間に形成される間隙部と、を備え、
前記カバー部は、前記カバー部が折りたたまれる際に折られる山折り部と、前記収容部と接続される接続部と、前記カバー部を開閉可能にする開閉部と、を有し、
前記接続部は、前記山折り部の一端側に配置され、
前記開閉部は、前記山折り部の他端から前記接続部にかけて設けられる財布。
【請求項２】
前記収容部は、前記接続部において、前記カバー部の折りたたみ動作と協働して開閉動作を行う蛇腹部を有する請求項１に記載の財布。
【請求項３】
前記蛇腹部と、前記山折り部と、の間に空隙を形成する空隙部が設けられる請求項２に記載の財布。
【請求項４】
前記カバー部は、前記開閉部に設けられ、財布の開口度合いを自在に調整するファスナー部を有する請求項１〜３の何れかに記載の財布。
【請求項５】
前記収容部は、長方形状のカードを収容可能なカード収容部を有する請求項１〜４の何れかに記載の財布。
【請求項６】
前記カード収容部は、前記カードの短辺よりも高さが低いカード袋を含む請求項５に記載の財布。
【請求項７】
前記カード袋の幅は、前記カードの長辺と略同一幅である請求項６に記載の財布。
【考案の詳細な説明】
【技術分野】
【０００１】
本考案は札を収納可能な財布の形態に関する。
【背景技術】
【０００２】
折り畳み可能な財布の一形態として、Ｌ字状のチャックを設けた財布がある。Ｌ字状のチャックを開く動作を行うだけで、内部に設けられたコイン収容部やカード収容部に到達することができるため、コンパクトで機能性の高い財布として注目されている。
その一例が、例えば特許文献１に記載されている。
【先行技術文献】
【特許文献】
【０００３】
【特許文献１】実用新案登録第３１６３４２３号公報
【考案の概要】
【考案が解決しようとする課題】
【０００４】
しかしながら、特許文献１に記載されているような従来の財布にあっては、クレジットカード等のカードを収容することを前提としたサイズで構成されているため、紙幣等の大きなものを入れる際には、折り曲げて収容する必要があり、紙幣を折り曲げることに抵抗を感じる使用者にとっては、使用しにくいところがあった。
【０００５】
また、特許文献１に記載の財布は、Ｌ字状のチャックの部分においてのみ開く構成であるため、財布の口が大きく開かず、内部の小物にアクセスしにくいという問題があった。
【０００６】
さらに、特許文献１に記載の財布は、必要としているカードがどこにあるのかを把握するために、財布を上からのぞき込んでカードの種類を確かめる作業を行う必要があり、特にカードを多く収容した場合には、カードの識別を行いにくいという問題もあった。
【０００７】
本考案は、上記の問題に鑑みて、多くの小物を簡便に収容可能で、快適な使用が可能な財布を提供することを課題とする。
【課題を解決するための手段】
【０００８】
前述した課題を解決する本考案は、折りたたみ可能なカバー部と、小物を収容可能な収容部と、前記カバー部と前記収容部との間に形成される間隙部と、を備え、前記カバー部は、前記カバー部が折りたたまれる際に折られる山折り部と、前記収容部と接続される接続部と、前記カバー部を開閉可能な開閉部と、を有し、前記接続部は、前記山折り部の一端側に配置され、前記開閉部は、前記山折り部の他端から前記接続部にかけて設けられる財布である。
【０００９】
このような構成にすることによって、前記財布を開いた際に、前記収容部に入った小物の状況を一目で把握することが可能になり、前記カバー部と、前記収容部と、の間に、札などの平面体を収容可能にする幅の広い間隙部を形成することができる。
【００１０】
また、前記間隙部は前記接続部以外では前記カバー部と接続されないために、前記開閉部がある何れの方向からでも前記札を挿入抜去することが可能となる。特に、前記山折り部に沿わせるように前記札を挿入することによれば、前記札を折ることなく前記間隙部に収容することができるようになる。
【００１１】
本発明の好ましい形態では、前記収容部は、前記接続部において、前記カバー部の折りたたみ動作と協働して開閉動作を行う蛇腹部を有する。
【００１２】
このような構成にすることによって、前記財布を開口状態とした際に、前記収容部が開くときの前記カバー部に対する最大の角度を調整することができるようになり、使用者が適当に前記財布を開いた場合でも前記収容部の内部に収容された前記小物の状態を一度に把握できるようになる。
【００１３】
本発明の好ましい形態では、前記蛇腹部と、前記山折り部と、の間に空隙を形成する空隙部が設けられる。
【００１４】
このような構成にすることによって、前記間隙部の間口の広さを調整することができるようになる。
【００１５】
本発明の好ましい形態では、前記開閉部には、財布の開口度合いを自在に調整するファスナー部を含む。
【００１６】
このような構成にすることによって、前記財布の不使用時に、前記財布から前記小物が落ちることが無くなる。
【００１７】
本発明の好ましい形態では、前記収容部は、長方形状のカードを収容可能なカード収容部を有する。
【００１８】
このような構成にすることによって、前記財布にクレジットカードや免許証などの有用なカードを収容することができる。
【００１９】
本発明の好ましい形態では、前記カード収容部は、前記カードの短辺よりも高さが低いカード袋を含む。
【００２０】
このような構成にすることによって、前記カード袋に前記カードを収容した際に、前記カードの上端部を視認することができるようになるため、大量の前記カードを前記カード収容部に入れた場合でも前記カードの種類を識別できるようになる。
【００２１】
本発明の好ましい形態では、前記カード袋の幅は、前記カードの長辺と略同一幅である。
【００２２】
このような構成にすることによって、前記カード袋から前記カードが脱落することを防ぐことができるようになる。
【考案の効果】
【００２３】
上記のような構成にすることによって、多くの小物を簡便に収容可能で、快適に使用可能な財布を提供することができる。
【図面の簡単な説明】
【００２４】
【図１】本実施形態に係る財布の、収納時の状態を表す斜視図である。
【図２】本実施形態に係る財布を、開口させた状態を表す斜視図である。
【図３】本実施形態に係る財布を、接続部の方向から見た説明図である。
【図４】本実施形態に係る財布の、収容部を分解した状態を表す説明図である。
【図５】本実施形態に係る財布の、間隙部が広がった状態を表す斜視図である。
【図６】本実施形態に係る財布の、カード収容部を表す説明図である。
【考案を実施するための形態】
【００２５】
以下、図面を用いて、本考案の実施形態に係る財布について説明する。
なお、以下に示す実施形態は本発明の一例であり、本発明を以下の実施形態に限定するものではない。
また、これらの図において符号Ｘは財布本体を表し、符号Ｃは、国際規格に定められた、縦５３．９８ｍｍ、横８５．６０ｍｍ、厚さ０．７６ｍｍのカードを想定している。
【００２６】
図１は、本実施形態に係る考案が使用されておらず、後述するカバー部１が折りたたまれ、開閉部Ｅ３およびファスナー部１２が完全に閉じている状態の財布本体Ｘを表している。
【００２７】
また、図２は、後述する開閉部Ｅ３が開いた状態の財布本体Ｘの斜視図を表している。
【００２８】
また、図３（ａ）は、蛇腹部２３が折りたたまれ、開閉部Ｅ３がファスナー部１２によって閉じられた状態における、接続部Ｅ２の方向から見た財布本体Ｘの模式図であり、図３（ｂ）は、図３（ａ）の状態から、開閉部Ｅ３を開口させる方向に押し広げた際の、接続部Ｅ２の方向から見た財布本体Ｘの模式図である。
【００２９】
財布本体Ｘは、カバー部１と、カバー部１の内部に収容された収容部２と、カバー部１と収容部２との間に形成される間隙部３を備えている。
【００３０】
図１に示すように、カバー部１は略長方形状の折りたたみ可能な部材であり、折りたたんだ状態で４つの辺を有する。前記４つの辺は、折りたたむ際に軸として機能できる程度の柔軟性を持つ山折り部Ｅ１と、収容部２と接続される接続部Ｅ２と、収容部２と接続されずカバー部１を開閉可能にする開閉部Ｅ３と、によって構成されており、このうち開閉部Ｅ３は連続した２辺である。
また、接続部Ｅ２は山折り部Ｅ１の一端側に配置され、開閉部Ｅ３は、山折り部Ｅ１の他端から接続部Ｅ２にかけて設けられている。
【００３１】
開閉部Ｅ３は、ファスナー部１２を有し、ファスナー操作部１３によって、その開口度合いを自由に操作し調整することができる。
なお、ファスナー部１２には、図１に示すようなジッパーによる構成以外にも、面ファスナーや、ボタンにより閉じる方法も考えられ、開閉部Ｅ３を閉じることができれば何を用いても良い。
【００３２】
図２に示すように、収容部２は折りたたまれた状態におけるカバー部１と略同一の高さと幅を持ち、小銭を収容可能な小銭収容部２１と、カードＣを複数枚収容可能なカード収容部２２と、蛇腹部２３と、によって構成されている。
また、カード収容部２２は、第一カード収容部２２ａと、第二カード収容部２２ｂと、を有し、小銭収容部２１は、第一カード収容部２２ａと、第二カード収容部２２ｂと、によって挟みこまれるように構成されている。
【００３３】
図３に示すように、蛇腹部２３は複数の折り目を有し、接続部Ｅ２の内側において縫着される。
図３（ａ）のように開閉部Ｅ３が閉じられた状態においては、小銭収容部２１およびカード収容部２２の間に折り畳まれるように収納され、図３（ｂ）のように開閉部Ｅ３か開かれた状態においては、カバー部および収容部の開口角度を制御する機能を持つ。
【００３４】
また、蛇腹部２３と、山折り部Ｅ１と、の間には空隙部２３１を有する。
このような構成によって、図２に示すように、収容部２は、山折り部Ｅ１においてはカバー部１に対して中空に位置し、カバー部１と、収容部２と、の間に間隙部３を形成する。
【００３５】
以下、図２及び図４を用いて、財布本体Ｘの構成材料に着目して、収容部２の構造について説明を行う。
なお、図４は、収容部２を分解した状態を表す説明図であり、破線部において部材同士が接合される。また、カード袋２２１の記載は省略してある。
【００３６】
収容部２は、小銭収容部２１およびカード収容部２２を構成するＶ字状の２枚の革材である第一Ｖ型革材Ｖ１と、第二Ｖ型革材Ｖ２と、蛇腹部２３を構成する扇型革材Ｖ３によって形成されている。
【００３７】
カード収容部２２は、第一Ｖ型革材Ｖ１および第二Ｖ型革材Ｖ２の間にそれぞれ形成されている。
図４においては記載を省略しているが、カード収容部２２中のカバー部１に当接する面の内側には、カードＣを入れ込むことで収容可能なカード袋２２１を有する。
【００３８】
小銭収容部２１は、第一Ｖ型革材Ｖ１と、第二Ｖ型革材Ｖ２と、扇型革材Ｖ３と、によって、形成される袋状の領域であり、接続部Ｅ２と略同一平面状にある辺の縁辺部において、第一Ｖ型革材Ｖ１および第二Ｖ型革材Ｖ２と、扇型革材Ｖ３とを縫合し、接続部Ｅ２と対向する辺の縁辺部と、山折り部Ｅ１に近接する辺の縁辺部において、第一Ｖ型革材Ｖ１と、第二Ｖ型革材Ｖ２とを縫合することによって形成される。
【００３９】
なお、第一Ｖ型革材Ｖ１または第二Ｖ型革材Ｖ２と、扇型革材Ｖ３とが縫合される縫合辺Ｓは、Ｖ型の革材が、扇型革材Ｖ３が有する凹部に挟みこまれる状態で縫合されるため、他の部分よりも革材の厚みが大きくなり、剛性が高まる。
また、カバー部１と、第一Ｖ型革材Ｖ１または第二Ｖ型革材Ｖ２と、扇型革材Ｖ３とが縫合された接続部Ｅ２も、同様の理由で、他の部分よりも剛性が高まる。
【００４０】
扇型革材Ｖ３は、財布本体Ｘの内側に向かって折り目を有しており、その縁辺部において接続部Ｅ２と縫合され、さらに、前述のように縫合辺Ｓと縫合される。
このように構成することによって、扇型革材Ｖ３は、財布が閉じられた際に、は第一Ｖ型革材Ｖ１または第二Ｖ型革材Ｖ２の形成する隙間に折り目を折り込んだ状態で収納され、財布を開いた際には折りたたみが解消され蛇腹部２３が開くようになる。
【００４１】
また、図５は、収容部２が持ち上がり、間隙部３の間口が広がった状態を表す斜視図である。
【００４２】
例えば、使用者は収容部２をカバー部１から直接持ち上げることによって、間隙部３の間口を広げることができる。
このような構成によって間隙部３に小物を簡便に出し入れすることができる。
【００４３】
以下、図６を用いてカード収容部２２について詳述する。
【００４４】
図６は、カード袋２２１を含む、カード収容部２２の構成について説明する図であり、複数のカード袋２２１を、カード収容部２２に取り付ける方法について表している。
なお、図５における破線部は、縫合する箇所を表している。
【００４５】
カード袋２２１は、大袋２２１ａと、第一小袋２２１ｂと、第二小袋２２１ｃと、により構成されている。
【００４６】
大袋２２１ａは、カード収容部２２に、左右の辺と底の辺を取り囲んで縫合される。好ましくは、大袋２２１ａの高さはカード収容部２２よりも５ｍｍ〜１５ｍｍ低く、その幅はカード収容部２２よりも１〜５ｍｍ広い。
このように構成することによって、大袋２２１ａにおけるカードＣの取り出しが容易になり、カードＣを複数枚挿入可能なゆとりを持たせることができる。
【００４７】
第一小袋２２１ｂは大袋２２１ａよりも大きさが小さく、大袋２２１ａと、底辺の角を合わせた状態で、左右の辺と底の辺を取り囲んで縫合される。なお、第一小袋２２１ｂは大袋２２１ａの角と合わせた点と対向する頂点に面取り部を設けた略台形状のカード袋２２１であって、その幅はカードＣの幅と略同一で、高さはカードＣの高さより５〜１５ｍｍ低いことが好ましい。
【００４８】
第二小袋２２１ｃは、第一小袋２２１ｂと略同一形状のカード袋２２１であって、第一小袋２２１ｂと対称となるように大袋２２１ａの底辺部及び第一小袋２２１ｂの上に縫合される。
【００４９】
以下、本実施形態に係る財布の使用方法について詳述する。
【００５０】
まず、使用者は、小銭を小銭収容部２１に収容し、複数のカードＣをカード収容部２２あるいははカード袋２２１に挿入し、紙幣を間隙部３に収容し、ファスナー部１２を閉じる。
【００５１】
使用者が小銭を取り出す際は、ファスナー部１２を開き、開閉部Ｅ３を開くことによって、カバー部１を開口状態とする。すると、小銭収容部２１が蛇腹部２３によって開き、使用者は小銭を取り出すことができる。
【００５２】
使用者がカードＣを取り出す際は、ファスナー部１２を開き、開閉部Ｅ３を開くことによって、カバー部１を開口状態とする。すると、カード収容部２２が蛇腹部２３によって開き、使用者はカードＣを取り出すことができる。
【００５３】
使用者が紙幣を取り出す際は、ファスナー部１２を開き、開閉部Ｅ３を開くことによって、カバー部１を開口状態とする。この状態にすることで、収容部２がカバー部１に対して持ち上がり、間隙部３の間口が形成されるため、使用者は間隙部３から快適に紙幣を簡便に取り出すことができる。
【００５４】
上記構成によって、多くの小物を簡便に収容可能で、快適に使用可能な財布を提供することができる。
【００５５】
特に、本実施形態においては、収容部２は接続部Ｅ２のみでカバー部１に接続され、開閉部Ｅ３がＬ字状であるため、紙幣の長辺からだけでなく、紙幣の短辺からでも、摺動させて財布本体Ｘに入れ込むことができる。
【００５６】
また、カバー部１を開口状態とするだけで、小銭収容部２１、カード収容部２２および間隙部３が開くため、使用者は財布本体Ｘの向きを変えずに収容した小銭やカードの状態を一度に把握することができる。
【００５７】
また、蛇腹部２３に空隙部２３１を有することによって、使用者は間隙部３の間口を広げることが可能となり、収容部２に多くの小銭やカードを収容した際にも、間隙部３に収容した紙幣を簡便に取り出すことができる。
【００５８】
また、カバー部１にファスナー部１２を設ける構成によって、収容時におけるカードや小銭の落下を防ぐことができる。
【００５９】
また、カード収容部２２に、カードＣの長辺と略同一幅で、カードＣの短辺よりも高さが低いカード袋２２１を設けることによって、カードＣのカード袋からの脱落を防ぎ、かつ、カバー部１を開いた状態におけるカードＣの視認性を高めることができる。
【００６０】
また、山折り部Ｅ１を軸として、財布本体Ｘが左右対称に構成されていることによって、右利き左利きに関わらず快適な使用をすることができるようになる。
【符号の説明】
【００６１】
Ｘ        財布本体
１        カバー部
１１      カバー本体
１２      ファスナー部
１３      ファスナー操作部
２        収容部
２１      小銭収容部
２２      カード収容部
２２ａ    第一カード収容部
２２ｂ    第二カード収容部
２２１    カード袋
２２１ａ  大袋
２２１ｂ  第一小袋
２２１ｃ  第二小袋
２３      蛇腹部
２３１    空隙部
３        間隙部
Ｅ１      山折り部
Ｅ２      接続部
Ｅ３      開閉部
Ｖ１      第一Ｖ型革材
Ｖ２      第二Ｖ型革材
Ｖ３      扇型革材
Ｃ        カード
Ｓ        縫合辺
Ｐ        接触点
【図１】
0003230311.tif 000003
【図２】
0003230311.tif 000004
【図３】
0003230311.tif 000005
【図４】
0003230311.tif 000006
【図５】
0003230311.tif 000007
【図６】
0003230311.tif 000008